(57)【要約】【課題】  網点画像の割合の小さい画像を適切に形成できると共に、ビームスポットの径を絞り高い精度の画像を形成できる平版印刷版の露光方法及び装置を提供する。【解決手段】  フォトポリマー版に対し、画像情報に応じて変調された光ビームを、１画素分のエリアの大きさよりも小さく細いビームスポットで走査することにより露光処理をする平版印刷版の露光方法及び装置において、フォトポリマー版上に小点以外のものを露光するときの光量を、固有の感光特性を持つフォトポリマー版に対して露光する際の必量最低の光量に設定し、フォトポリマー版上に小点を露光するときの光量を、所定の光量アップ率で高光量に切り換えて露光処理する。【選択図】  図８
2007093769.tif 000002
【特許請求の範囲】
【請求項１】
フォトポリマー版に対し、画像情報に応じて変調された光ビームを、１画素分のエリアの大きさよりも小さく細いビームスポットで走査することにより露光処理をする平版印刷版の露光方法において、
前記フォトポリマー版上に小点以外のものを露光するときの光量を、固有の感光特性を持つ前記フォトポリマー版に対して露光する際の必量最低の光量に設定し、前記フォトポリマー版上に小点を露光するときの光量を、所定の光量アップ率で高光量に切り換えて露光処理することを特徴とする平版印刷版の露光方法。
【請求項２】
フォトポリマー版に対し、画像情報に応じて変調された光ビームを、１画素分のエリアの大きさよりも小さく細いビームスポットで走査することにより露光処理をする平版印刷版の露光装置において、
露光処理する対象が小点であることを判別する小点判別手段と、
前記小点判別手段が、露光処理する対象が小点であると判別したときに露光用光ビームの光量を所定の光量アップ率で高光量に切り換え、露光処理する対象が小点以外の中点、大点等であると判別したときに固有の感光特性を持つ前記フォトポリマー版に対して露光する際の必量最低の光量に設定する制御を行う制御部と、
を有することを特徴とする平版印刷版の露光装置。
【請求項３】
前記光量アップ率を、２０％から１００％に設定したことを特徴とする請求項２に記載の平版印刷版の露光装置。
【発明の詳細な説明】
【技術分野】
【０００１】
この発明は、平版印刷版に、露光処理することにより高い精度で適正な潜像を形成可能とする平版印刷版の露光方法及び装置に関する。
【背景技術】
【０００２】
一般に、オフセット印刷には、感光性平版印刷版（いわゆるＰＳ版）が利用されている。また、この平版印刷の分野では、コンピュータ等のデジタルデータに基づいてレーザ露光処理をし、自動現像機で感光性平版印刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。
【０００３】
このようなＣＴＰシステムに用いられる平版印刷版には、アルミニウム等を用いた支持体の表面に光重合（ラジカル重合）層の感光層を形成したいわゆるフォトポリマー版がある。
【０００４】
このフォトポリマー版は、システムにおける印刷版の現像装置（ＰＳ版プロセッサー）によって、湿式アルカリブラシ現像方式で現像処理する。この印刷版の現像装置では、フォトポリマー版を現像液に浸漬するように搬送しながらブラシローラによってフォトポリマー版の表面をブラッシングすることにより、現像液によって膨潤した不要な感光層の除去の促進を図る。これにより、フォトポリマー版では、膨潤した光重合層のみが取り除かれ、画像が形成される。
【０００５】
また、上述のようなＣＴＰシステムでは、フォトポリマー版上に、網点画像により濃淡画像を形成する手法である、ＦＭスクリーン（FM Screen）と呼ばれる手法が利用されている。このＦＭスクリーンは、規則性を持たない不定形ドットの集合密度によって記録画像の濃淡を表現するものであり、例えば、２×２の合計４ドット等、比較的少数のドットで構成された画像を２次元平面状に分散させて階調表現を行う。このＦＭスクリーンでは、原理的にモアレ縞の発生等を抑制することができるという利点がある。
【０００６】
このため、平版印刷版の露光装置では、ＦＭスクリーンを使って、小さな網形状で中間調を形成することが望まれている。
【０００７】
しかし、通常の平版印刷版の露光装置では、例えば、単一横モードのレーザ光源から出射した光を被走査面上に結像して画像を形成するよう構成されているため、ビームスポットの形状はガウス分布をしている。このようなガウス分布となっているためにエッジ部がなだらかとなっているビームスポットによって、露光してＦＭスクリーンを記録したときの画像は、光パワー変動や刷り枚数といった記録条件、平版印刷版の感光層における感度の経時変化、自動現像機の現像の度合いといった種々の条件によって記録画素の周長が少しでも変わると網点画像の割合（網点面積率特性）が急激に変わり易いので、濃度変動を起こし易いため、平版印刷版の露光装置で、ＦＭスクリーンを利用して高い精度で適正な潜像を形成することが困難である。
【０００８】
そこで、従来の画像記録装置では、光の照射された部分が画像として残る感光材料であるフォトポリマー版に直接光ビームを走査し、面積変調（面積階調）方式にて網点画像等を形成する場合に、網点画像の割合である網点％（以下、単に網％ともいう）の小さい画像（ハイライト画像）を十分に形成し、感光材料に形成された網％の小さいハイライト側の画像の耐刷性を十分に確保するために、光ビーム強度変調手段によって、ハイライト側で光ビームの強度をより強く変調し、記録光量を上げて露光する手段が提案されている（例えば、特許文献１参照。）。
【０００９】
また、平版印刷版の露光装置では、高い精度で適正な潜像を形成するために、ビームスポットの径を半分に絞り、１画素を半分に絞った細いビームスポットで２回露光する手段が検討されている。
【００１０】
このようにビームスポットの径を１画素の半分に絞るように、露光用光ビームの光学系を構成すると、通常の露光装置では、焦点深度は光学系倍率の二乗に比例するため、ビーム径を小さくすると露光装置の焦点深度は狭くなってしまう。このため露光装置では、焦点深度を広げるために露光用光ビームの光量を下げる手段をとることが必要となる。
【００１１】
このため、網％の小さい画像（ハイライト画像）を十分に形成するため記録光量を上げて露光する手段と、ビームスポットの径を半分に絞り高い精度の画像を形成する際に、焦点深度を広げるために露光用光ビームの光量を下げる手段とを、両立させた平版印刷版の露光装置を構成することが困難であった。
【特許文献１】特許開２００１−２６５００１号公報
【発明の開示】
【発明が解決しようとする課題】
【００１２】
本発明は、上述の事実に鑑み、網点画像の割合の小さい画像を適切に形成できると共に、ビームスポットの径を絞り高い精度の画像を形成できる平版印刷版の露光方法及び装置を新たに提供することを目的とする。
【課題を解決するための手段】
【００１３】
本発明の請求項１に記載の平版印刷版の露光方法は、フォトポリマー版に対し、画像情報に応じて変調された光ビームを、１画素分のエリアの大きさよりも小さく細いビームスポットで走査することにより露光処理をする平版印刷版の露光方法において、フォトポリマー版上に小点以外のものを露光するときの光量を、固有の感光特性を持つフォトポリマー版に対して露光する際の必量最低の光量に設定し、フォトポリマー版上に小点を露光するときの光量を、所定の光量アップ率で高光量に切り換えて露光処理することを特徴とする。
【００１４】
本発明の請求項２に記載の平版印刷版の露光方法は、フォトポリマー版に対し、画像情報に応じて変調された光ビームを、１画素分のエリアの大きさよりも小さく細いビームスポットで走査することにより露光処理をする平版印刷版の露光装置において、露光処理する対象が小点であることを判別する小点判別手段と、
小点判別手段が、露光処理する対象が小点であると判別したときに露光用光ビームの光量を所定の光量アップ率で高光量に切り換え、露光処理する対象が小点以外の中点、大点等であると判別したときに固有の感光特性を持つフォトポリマー版に対して露光する際の必量最低の光量に設定する制御を行う制御部と、を有することを特徴とする。
【００１５】
請求項３に記載の発明は、請求項２に記載の平版印刷版の露光装置において、光量アップ率を、２０％から１００％に設定したことを特徴とする。
【００１６】
前述のように構成することにより、細いビームスポットで露光するので、細いビームスポットの強度分布がガウス分布をしていても、フォトポリマー版の発色閾値の変動やレーザビームの強度変動等の影響を受けることなく、正確に画像を露光できる。さらに、小点以外の画像を露光するときの光量を、各固有の感光特性を持つフォトポリマー版に対して露光する際の必量最低の光量に設定することにより、細いビームスポットの焦点深度を広げ、フォトポリマー版上に適切に合焦させて良好な画像を形成できる。また、所定の高光量に切り換えた細いビームスポットで小点をフォトポリマー版上に露光するので、フォトポリマー版の感光層が露光したときに生じる光重合（ラジカル重合）を酸素が妨げる退行作用を抑制して小点の潜像が縮小することを防止し、適正なＦＭスクリーンの画像を形成できる。
【発明の効果】
【００１７】
本発明の平版印刷版の露光方法及び装置によれば、網点画像の割合の小さい画像を適切に形成でき、しかもビームスポットの径を絞り高い精度の画像を形成できるという効果がある。
【発明を実施するための最良の形態】
【００１８】
本発明の平版印刷版の露光方法及び装置に関する実施の形態について、図１乃至図５により説明する。
【００１９】
本実施の形態に係わる平版印刷版の露光装置は、オフセット印刷用の感光性平版印刷版（いわゆるＰＳ版）を記録媒体とし、コンピュータ等のデジタルデータに基づいてレーザ露光処理をし、自動現像機で感光性平版印刷版上に形成された潜像を顕像に変換する現像処理をして直接印刷版を製版するＣＴＰ（Ｃｏｍｐｕｔｅｒ  ｔｏ  Ｐｌａｔｅ）システムに用いて好適なものである。
【００２０】
図１及び図２には、本実施の形態に係る、平版印刷版の露光装置としてのインナードラム露光装置を備えたＣＴＰ（Ｃｏｍｐｕｔｅｒ  ｔｏ  Ｐｌａｔｅ）システムの概略構成が示されている。
【００２１】
このＣＴＰシステムは、印刷版供給カセット２０の自動送給装置１０と、印刷版供給カセット内の感光性平版印刷版であるＰＳ版２２を１枚づつ分離して供給する枚葉供給装置１２と、インナードラム露光装置（モノゴンスキャナー）１４と、バッファ装置１６と、現象処理装置１８とを備える。
【００２２】
このＣＴＰシステムでは、露光処理の対象とする記録媒体として、例えば薄いアルミニウム板である支持体上に感光材料を含有する画像記録層を形成したＰＳ版であるフォトポリマー版等を用いることができる。
【００２３】
このＣＴＰシステムにおける自動送給装置１０は、外部から作業員が搬入した複数の印刷版供給カセット２０をそれぞれ保管棚２４上に保管し、所要の印刷版供給カセット２０を枚葉供給装置１２へ供給する。
【００２４】
この枚葉供給装置１２は、供給された印刷版供給カセット２０の蓋を開放し、内部に収納されているＰＳ版２２の束を引き上げ機構２６で引き上げながら、分離ローラ２８で１枚づつ分離してインナードラム露光装置１４へ供給する。なお、この枚葉供給装置１２には、重ねられたＰＳ版２２の間に感光面保護のため挟み込まれた合紙３０を分離してストックする合紙除去部３２を備える。
【００２５】
このＣＴＰシステムにおけるインナードラム露光装置１４は、円弧内周面形状（円筒内周面の一部を構成する形状）の支持体３４を母体として構成されており、この支持体３４の内周面に沿ってＰＳ版２２を支持するようになっている。
【００２６】
このインナードラム露光装置１４では、図示しない真空吸着手段によって、未記録の記録媒体であるＰＳ版２２を支持体３４の内周面に確実に密着させて沿わせた状態に保持してから露光処理を行う。
【００２７】
このインナードラム露光装置１４では、支持体３４の円弧中心位置に、光ビーム偏向器としてのスピナーミラー装置３６を配設する。このスピナーミラー装置３６は、反射鏡部材（スピナーミラー）を、回転軸４０の先端に設ける。
【００２８】
このスピナーミラー装置３６では、スピナーミラーが設けられた回転軸４０を、図示しない制御装置のスピナードライバによって回転制御がされる駆動源としてのモーターによって高速回転可能に構成する。図２に示すように、このスピナーミラー装置３６では、回転軸４０の回転中心軸を支持体１２の円弧中心軸と一致するように構成する。
【００２９】
このスピナーミラー装置３６では、光源側の光学系から投射された光ビームを、回動するスピナーミラーに反射させてＰＳ版２２の感光面に対して主走査方向への走査露光を行う。
【００３０】
このスピナーミラー装置３６は、図示しない副走査移動手段によって、支持体３４の円弧中心軸の軸線方向（図２の表面から裏面に貫通する方向）に等速度で移動制御されることにより副走査する。
【００３１】
このためスピナーミラー装置３６では、制御装置のスピナードライバによって、そのモータの回転制御がされると共に、図示しない副走査移動手段により副走査方向に移動制御される。
【００３２】
このように構成されたスピナーミラー装置３６は、光源側の光学系から投射され画像情報に応じて変調された光ビームを、回動するプリズム部材３８の反射鏡面に反射させて主走査方向への走査露光を行いながら、スピナーミラー装置３６を副走査方向へ移動することによって、ＰＳ版２２の記録面全面に対して２次元の画像を記録する処理を行う。
【００３３】
このＣＴＰシステムに設けるバッファ装置１６は、インナードラム露光装置１４で露光処理されたＰＳ版２２を、搬送速度を調整することによって所要のタイミングで現象処理装置１８へ搬入する機能を有する。
【００３４】
現象処理装置１８は、搬入されて来た露光済のＰＳ版２２に対する現像処理を行って潜像を顕像化して印刷版を製版する。
【００３５】
このように構成されたＣＴＰシステムに用いるインナードラム露光装置１４は、ＦＭスクリーンを用い安定して中間調を記録可能に構成する。これと共に、このインナードラム露光装置１４では、光パワー変動や刷り枚数といった記録条件や、自動現像機の現像の度合いといった現像条件等によって記録画素の周長が少しでも変わると網点画像の割合（網点面積率特性）が急激に変わり易いため濃度変動を起こし易くなることを低減するために、記録スポット（ビームスポット）の径を、１画素の半分に相当する大きさに絞った細いビームスポットで２回露光して、１画素のドットの潜像を形成する露光処理を行うように構成する。
【００３６】
このように露光処理することによって、細いビームスポットがガウス分布をしていても、細いビームスポットのエッジ部が急峻となっているので、ＰＳ版２２の感光層の感度が経時変化して感光するためにより多くの露光量が必要となるよう劣化した場合でも、細いビームスポットで露光し潜像を形成することにより現像して形成された画像が劣化しないようにできる。
【００３７】
また、このインナードラム露光装置１４では、前述のように、ＰＳ版２２の感光層を露光するビームスポットを１画素分のエリアの半分に相当する大きさまで絞るように露光用光ビームの光学系を構成したので、細いビームスポットの焦点深度が極めて狭くなってしまう。
【００３８】
そこで、このインナードラム露光装置１４では、焦点深度を広げて細いビームスポットが適切にＰＳ版２２の感光層に合焦するよう、露光用光ビームの光量を所定の低光量まで下げるように構成する。すなわち、このインナードラム露光装置１４では、例えばＦＭスクリーンにおける小点以外の網点を露光する光量を、各固有の感光特性を持つフォトポリマー版に対して露光する際の必量最低の光量に設定する。
【００３９】
インナードラム露光装置１４では、このように小点以外を露光する光量を、各固有の感光特性を持つフォトポリマー版に対して露光する際の必量最低の光量に設定することにより、光量低減による光源寿命の延命を図ることができる。
【００４０】
このインナードラム露光装置１４は、露光用光ビームの光量を所定の低光量まで下げるよう構成したので、この低光量の露光用光ビームのままで、例えば、図３（Ａ）に示すように、フォトポリマー版にＦＭスクリーンを形成するための最小単位のドットとなる小点（２０μｍ×２０μｍ）を露光すると、フォトポリマー版の感光層に周囲の酸素が光重合（ラジカル重合）を妨げる退行作用によって、フォトポリマー版の感光層に形成される潜像が図３（Ｂ）に示すように縮小してしまい、適正なＦＭスクリーンの画像が形成できなくなることがある。
【００４１】
そこで、このインナードラム露光装置１４では、例えば、ＦＭスクリーンを形成するための最小単位のドットだけを露光する場合等の小点を露光する場合に、細いビームスポットで露光して現像したときに適正な小点の画像が形成されているよう、露光用光ビームの光量を所定の高光量まで上げるように構成する。
【００４２】
なお、このように小点の画像を形成するときだけ露光用光ビームの光量を所定の高光量まで上げるよう構成したインナードラム露光装置１４では、図４（Ａ）に示すように、例えばＦＭスクリーンを形成するための中点（４０μｍ×４０μｍ）以上の大きさの画像を露光するときに露光用光ビームの光量を所定の低光量で露光処理する。この場合には、フォトポリマー版の感光層に周囲の酸素が光重合（ラジカル重合）を妨げるように作用して、フォトポリマー版の感光層に形成される潜像を図４（Ｂ）に示すように縮小するが、その縮小量が中点の面積に比べて小さいので、適正なＦＭスクリーンの画像を形成できる。
【００４３】
このインナードラム露光装置１４では、フォトポリマーのＰＳ版２２に、ＦＭスクリーンで、いわゆる小点（ハイライト）と、小点以外のいわゆる中点、大点等で画像を形成するため、露光用光ビームのビーム径を絞ることが前提となる。
【００４４】
このビーム径を絞り焦点深度が狭くなっている条件の下で、小点以外のいわゆる中点、大点等で画像を形成する場合には、露光用光ビームの光量を所定の低光量に低下させて、焦点深度を広げた状態で露光処理することにより、高画質で正確に画像を形成する。
【００４５】
このインナードラム露光装置１４では、例えば図７に示すように露光用光ビームの光量を所定の低光量とすると、焦点位置での露光量分布が図７に実線で示すようになり、図７に想像線で示す画像閾値（画像を形成する露光量）Ｋ以上の露光量でＰＳ版２２上に画像が形成されることになる。
【００４６】
ここで、露光用光ビームの光量が低光量のときに焦点ズレを生じたために、図７に破線で示す露光量分布となったとすると、図７に示す低光量時のビームの太りＬ分だけ露光用光ビームのビーム径が広がることになる。
【００４７】
また、このインナードラム露光装置１４では、露光用光ビームの光量を所定の高光量とすると、例えば、焦点位置での露光量分布が図６に実線で示すようになり、図６に想像線で示す画像閾値（画像を形成する露光量）Ｍ以上の露光量でＰＳ版２２上に画像が形成されることになる。
【００４８】
ここで、露光用光ビームの光量が高光量のときに焦点ズレを生じたために、図６に破線で示す露光量分布となったとすると、図６に示す高光量時のビームの太りＲ分だけ露光用光ビームのビーム径が広がることになる。
【００４９】
そこで、低光量時のビームの太りＬと、高光量時のビームの太りＲとを比較すると、この場合には、図７に示す露光量分布と図６に示す露光量分布とが相似の関係にあり、図６に示す露光量分布のピーク値が図７に示す露光量分布のピーク値の２倍に相当する。
【００５０】
よって、図６の露光量分布において比較する場合には、露光用光ビームの光量が低光量のときの画像閾値Ｋが、２倍の露光エネルギー密度の位置で等価となるため、２０（μＪ／ｃｍ2）のところに低光量のときの画像閾値Ｋの線をひけば良い。すると、この図６から理解されるように、高光量時のビームの太りＲより、低光量時のビームの太りＬのほうが小さいことが読み取れる。
【００５１】
よって、このインナードラム露光装置１４では、露光用光ビームの光量を低光量として焦点深度を広げた状態で、小点以外のいわゆる中点、大点等で画像を露光処理することにより、網％の変動を小さく抑えて、高画質で正確に画像を形成することができる。
【００５２】
このインナードラム露光装置１４では、フォトポリマーのＰＳ版２２にＦＭスクリーンでいわゆる小点（ハイライト）の画像を形成する場合には、露光用光ビームの光量を所定の高光量に上昇させて露光処理することにより、小点を確実に形成し、正確に画像を形成する。
【００５３】
この小点の画像を形成する場合には、現像したときに適正な小点の画像が形成されているよう、露光用光ビームの光量を所定の高光量まで上げるため、図６に示すように、高光量時のビームの太りＲが比較的大きくなる。
【００５４】
しかし、前述したように、小点を露光した際にフォトポリマー版の感光層に周囲の酸素が光重合（ラジカル重合）を妨げる退行作用によってフォトポリマー版の感光層に形成される潜像が縮小することで、小点の太りが幾分相殺される。
【００５５】
これと共に、小点は、高光量で露光されるために高光量時のビームの太りＲの影響があっても、小点の網％の変動が、いわゆる中点、大点等と比較して相対的に小さく、人間の視認能力では相違が見分けられないため、無視できる誤差の範囲内となる。よって、小点を高光量で露光処理する場合には、高画質の画像を形成できる。
【００５６】
また、このインナードラム露光装置１４では、小点を露光する場合にだけ露光用光ビームの光量を所定の高光量まで上げるよう切り換える操作が必要になる。
【００５７】
このインナードラム露光装置１４では、小点判別手段で小点を露光することを検出したときに、露光用光ビームの光量を所定の高光量まで上げる切り換え操作を行う。
【００５８】
このため、インナードラム露光装置１４では、図８のブロック図に示すように、制御部１００が露光処理する対象が小点であることを小点判別手段１０２によって判別したときに、例えば光源１０４から出射される露光用光ビームの光量を所定の高光量まで上げる制御を行い、露光処理する対象が小点以外のいわゆる中点、大点等であることを小点判別手段１０２によって判別したときに、例えば光源１０４から出射される露光用光ビームの光量を所定の低光量まで下げる制御を行うように構成する。
【００５９】
この小点判別手段１０２は、小点（２×２画素）を判定する手段であり、図５に示すように、判定対象とする画像画素が、下記の４条件を満たす場合、小点（２×２画素）の一部と判定する。
（１）主走査方向の前２画素のうち、少なくとも１個が非画像画素であること。例えば図５に実線で囲んだ部分のように、特定画素Ｒに対して主走査方向の前２画素のうち、一方が非画像画素Ｖである状態。
（２）主走査方向の後２画素のうち、少なくとも１個が非画像画素であること。例えば図５に想像線で囲んだ部分のように、特定画素Ｒに対して主走査方向の後ろ２画素のうち、一方が非画像画素Ｖである状態。
（３）副走査方向の前２画素のうち、少なくとも１個が非画像画素であること。例えば図５に３点鎖線で囲んだ部分のように、特定画素Ｒに対して主走査方向の前２画素のうち、一方が非画像画素Ｖである状態。
（４）副走査方向の後２画素のうち、少なくとも１個が非画像画素であること。
【実施例】
【００６０】
次に、このインナードラム露光装置１４において、中点以上の大きさの画像を露光するときに露光用光ビームの光量を所定の低光量で露光処理し、小点を露光する場合にだけ露光用光ビームの光量を所定の高光量で露光処理するときの具体的な実施例について説明する。
【００６１】
この実施例では、印刷版として、高感度フォトポリマー版を用いる。また、インナードラム露光装置１４を、インナードラム径が、５３６ｍｍで、スピンドル回転数が３１，７５０ｒｐｍのものを用いる。
【００６２】
このインナードラム露光装置１４では、光源を４０５ｎｍ  ＩｎＧａＮ  ＬＤ  平均出力６０ｍＷのものを用い、露光処理するときのビーム形状を、円形ガウスビーム形状とし、そのビーム径を８．５μｍ（１／ｅ2幅）とする。
【００６３】
そして、小点を露光処理するときの露光量を、９０μＪ／ｃｍ2とし、小点以外（中心点以上の画像）を露光処理するときの露光量を、６５μＪ／ｃｍ2とする。
【００６４】
このように設定したインナードラム露光装置１４によって露光してＦＭスクリーンを記録した場合には、適正な網点画像の割合で、高い精度の画像を形成できた。
【００６５】
次に、このインナードラム露光装置１４において、中点以上の大きさの画像を露光するときの低光量から、小点を露光する場合の高光量に切り換えるときの光量アップ率の許容範囲を求めるために行った実験について説明する。
【００６６】
この実験では、光量アップ率を次の式で算出する。
光量アップ率＝（小点の光量−小点以外の光量）÷小点以外の光量
この実験の結果、下記表１のような結果が得られた。
【００６７】
【表１】
2007093769.tif 000003
この実験では、次の３項目の評価に基づき、総合的に判断して最終的な評価をした。
【００６８】
評価の第１項目として、感度が許容上限のフォトポリマー版に対して、焦点ズレの許容限界で小点を露光し、フォトポリマー版上にできた小点形状を顕微鏡にて観察して、欠陥及び太りを評価する。
【００６９】
評価の第２項目として、感度が許容下限のフォトポリマー版に対して、焦点ズレの許容限界で小点を露光し、フォトポリマー版上にできた小点形状を顕微鏡にて観察して、欠陥及び細りを評価する。
【００７０】
評価の第３項目として、焦点ズレの許容限界で小点を露光してから現像したフォトポリマー版によって、耐刷試験を行い、印刷物上の小点形状を顕微鏡にて観察して、欠陥及び細りを評価する。
【００７１】
この試験と、その評価との結果から、この露光装置では、光量アップ率を、２０％から１００％に設定すると、良好な結果が得られることが確認できた。すなわち、インナードラム露光装置１４において、中点以上の大きさの画像を露光するときの低光量の１．２倍から２倍に光量をアップした高光量で露光処理すれば、良好な結果が得られることが確認できた。
【００７２】
また、上述した本実施の形態では、平版印刷版の露光装置をインナードラム露光装置で構成したものについて説明したが、フラットベット方式の露光装置又はアウタードラム方式の露光装置として構成しても良い。
【００７３】
なお、本発明は、上述した実施の形態に限定されるものではなく、本発明の要旨を逸脱しない範囲で、その他種々の構成を取り得ることは勿論である。
【図面の簡単な説明】
【００７４】
【図１】本発明の平版印刷版の露光方法及び装置に関する実施の形態に係る平版印刷版の露光装置を備えたＣＴＰシステムの概略構成を示す斜視図である。
【図２】本発明の実施の形態に係る平版印刷版の露光装置を備えたＣＴＰシステム内部の構成を示す概略説明図である。
【図３】（Ａ）（Ｂ）は、フォトポリマー版に小点を露光した際に酸素によって光重合が妨げられ潜像が縮小される状態を示す説明図である。
【図４】（Ａ）（Ｂ）は、フォトポリマー版に中点を露光した際に酸素によって光重合が妨げられ潜像が縮小される状態を示す説明図である。
【図５】本発明の実施の形態に係る平版印刷版の露光装置における小点判別手段で、小点であることを判定する条件を示す説明図である。
【図６】本発明の実施の形態に係る平版印刷版の露光装置で、露光用光ビームの光量が高光量のときの露光量分布を例示する説明図である。
【図７】本発明の実施の形態に係る平版印刷版の露光装置で、露光用光ビームの光量が低光量のときの露光量分布を例示する説明図である。
【図８】本発明の実施の形態に係る平版印刷版の露光装置における、露光用光ビームの光量を切り換える制御を説明するためのブロック図である。
【符号の説明】
【００７５】
１４  インナードラム露光装置
２２  ＰＳ版
３６  スピナーミラー装置
１００      制御部
１０２      小点判別手段
１０４      光源
【図１】
2007093769.tif 000004
【図２】
2007093769.tif 000005
【図３】
2007093769.tif 000006
【図４】
2007093769.tif 000007
【図５】
2007093769.tif 000008
【図６】
2007093769.tif 000009
【図７】
2007093769.tif 000010
【図８】
2007093769.tif 000011